(57)【要約】【課題】複数の対象者に効率良く光を照射することができる照明制御システム等を提供する。【解決手段】照明制御システム１００は、複数の対象者Ａ〜Ｃが滞在可能な空間に光を照射する光源２００を制御するシステムである。照明制御システム１００は、第一時刻以降であり、且つ第一時刻よりも後の第二時刻以前の照射期間において、複数の対象者の各々が空間に滞在する予定期間を示す、滞在予定情報を取得する取得部１１０と、滞在予定情報から光源２００に光を照射させる照射予定を作成する作成部１３０と、照射予定に従って光源２００に光を照射させる制御部１４０と、を備える。作成部１３０は、滞在予定情報において複数の対象者Ａ〜Ｃの少なくとも２人に共通する予定期間を含む期間に光を照射させるように照射予定を作成する。【選択図】図２
2019033052.tif 000002
【特許請求の範囲】
【請求項１】
複数の対象者が滞在可能な空間に光を照射する光源を制御する照明制御システムであって、
第一時刻以降であり、且つ前記第一時刻よりも後の第二時刻以前の照射期間において、前記複数の対象者の各々が前記空間に滞在する期間である予定期間を示す、滞在予定情報を取得する取得部と、
前記滞在予定情報から前記光源に前記光を照射させる照射予定を作成する作成部と、
前記照射予定に従って前記光源に光を照射させる制御部と、を備え、
前記作成部は、前記滞在予定情報において前記複数の対象者の少なくとも２人に共通する予定期間を含む期間に前記光を照射させるように前記照射予定を作成する
照明制御システム。
【請求項２】
前記作成部は、前記滞在予定情報に基づいて、前記複数の対象者のそれぞれの予定期間のうち、共通する対象者の人数が多い予定期間を含む期間から順番に前記照射予定を作成する
請求項１に記載の照明制御システム。
【請求項３】
前記作成部は、前記照射予定の候補となる期間が２以上ある場合、前記候補のうち最も早い時刻を含む期間を照射予定として作成する
請求項１又は２に記載の照明制御システム。
【請求項４】
前記作成部は、前記取得部が前記第一時刻より後に前記照射予定の変更を指示する指示情報を取得した場合、当該指示情報に基づいて照射予定を再作成する
請求項１〜３のいずれか１項に記載の照明制御システム。
【請求項５】
記憶部をさらに備え、
前記取得部は、取得した前記滞在予定情報を前記記憶部に記憶させ、
前記作成部は、所定の時間間隔おきに、前記記憶部に記憶された前記滞在予定情報から照射予定を再作成する
請求項１〜４のいずれか１項に記載の照明制御システム。
【請求項６】
前記取得部は、前記複数の対象者の各々に対応する目標受光時間を取得し、
前記作成部は、前記滞在予定情報と前記目標受光時間とに基づいて、前記複数の対象者のうち、前記目標受光時間以上となる前記対象者の人数が最大になるように、前記照射予定を作成する
請求項１〜５のいずれか１項に記載の照明制御システム。
【請求項７】
前記作成部は、前記滞在予定情報と前記目標受光時間とに基づいて、前記複数の対象者が前記目標受光時間以上に達するか否かを判定し、
前記制御部は、前記複数の対象者のうち、前記目標受光時間以上に達しない未達の対象者がいると前記作成部が判定した場合、未達の対象者がいる旨を示すアラート情報を出力する
請求項６に記載の照明制御システム。
【請求項８】
前記取得部は、前記第一時刻より後で、且つ前記第二時刻より前の第三時刻までの前記複数の対象者の各々に対応する受光状況を取得し、
前記作成部は、前記第二時刻より前に、当該受光状況と前記目標受光時間とを照合して、前記複数の対象者が前記目標受光時間以上に達するか否かを判定し、前記複数の対象者のうち、前記目標受光時間以上に達しない未達の対象者がいると判定した場合、前記第三時刻以降における前記照射予定を再作成する
請求項６又は７に記載の照明制御システム。
【請求項９】
前記制御部は、前記第三時刻に前記目標受光時間以上に達しない未達の対象者がいると前記作成部が判定した場合、未達の対象者がいる旨を示すアラート情報を出力する
請求項８に記載の照明制御システム。
【請求項１０】
前記取得部は、前記第三時刻より後で、且つ前記第二時刻より前の第四時刻までの前記複数の対象者の各々の受光状況を取得し、
前記作成部は、前記第二時刻より前に、当該受光状況と前記目標受光時間とを照合して、前記複数の対象者が前記目標受光時間以上に達するか否かを判定し、
前記制御部は、前記複数の対象者のうち、前記目標受光時間以上に達しない未達の対象者がいると前記作成部が判定した場合、未達の対象者がいる旨を示すアラート情報を出力し、前記第二時刻まで前記光を照射させる
請求項８又は９に記載の照明制御システム。
【請求項１１】
前記取得部は、前記複数の対象者の各々の前記第二時刻までの受光状況を取得し、
前記作成部は、前記複数の対象者の各々が、前記目標受光時間以上に達しているか否かを判定し、
前記制御部は、前記作成部の判定結果を示す結果情報を出力する
請求項６〜１０のいずれか１項に記載の照明制御システム。
【請求項１２】
請求項１〜１１のいずれか１項に記載の照明制御システムと、
前記光源と、を備える
照明システム。
【請求項１３】
複数の対象者が滞在可能な空間に光を照射する光源を制御する照明制御方法であって、
第一時刻以降であり、且つ前記第一時刻よりも後の第二時刻以前において、前記複数の対象者の各々が前記空間に滞在する予定期間を示す、滞在予定情報を取得する滞在予定情報取得ステップと、
前記滞在予定情報から前記光源に前記光を照射させる照射予定を作成する照射予定作成ステップと、
前記照射予定に従って前記光源を制御する光源制御ステップと、を含み、
前記照射予定作成ステップでは、前記滞在予定情報において前記複数の対象者の少なくとも２人に共通する予定期間を含む期間に前記光源制御ステップで前記光源に前記光を照射させるように前記照射予定を作成する
照明制御方法。
【請求項１４】
請求項１３に記載の照明制御方法をコンピュータに実行させるための
プログラム。
【発明の詳細な説明】
【技術分野】
【０００１】
本発明は、複数の対象者が滞在可能な空間に光を照射する光源を制御する照明制御システム、照明システム、照明制御方法及びプログラムに関する。
【背景技術】
【０００２】
従来、照明器具等の光源から光を照射させる際に、予め定められたスケジュール（照射予定）に基づいて、光源を制御する技術が知られている（例えば、特許文献１参照）。
【０００３】
特許文献１に記載の照明制御システムは、制御対象となる照明機器に対して特定日及びその特定日に実行すべき特定スケジュールを設定し、所定のタイミングで現在の日付情報を取得する。さらに、特許文献１に記載の照明制御システムは、取得した現在の日付情報が特定スケジュールを実行すべき特定日に該当するか否かを判断する。特許文献１に記載の照明制御システムは、特定日に該当する場合には、特定スケジュールに従って照明機器を点灯させ、特定日に該当しない場合には、予め設定した基本スケジュールに従って照明機器を点灯させる。
【先行技術文献】
【特許文献】
【０００４】
【特許文献１】特開２０１３−２４６８９０号公報
【発明の概要】
【発明が解決しようとする課題】
【０００５】
ところで、近年、太陽光と同等の光を対象者に照射することにより、当該対象者の生体リズムを整える光療法が知られている。例えば、太陽光と同等の光を照射する光源が配置された施設に対象者が所定時間滞在することにより、当該対象者は、当該光を浴びる。これにより、対象者の生体リズムは整えられる。
【０００６】
ここで、光源の消費エネルギーの抑制の観点から、対象者が上記施設にいる間は対象者に光を照射し、対象者が上記施設にいない間は光を照射しないように光源を制御することが望まれる。上記施設を複数の対象者が利用する場合についても同様である。
【０００７】
本発明は、複数の対象者に効率良く光を照射することができる照明制御システム等を提供する。
【課題を解決するための手段】
【０００８】
本発明の一態様に係る照明制御システムは、複数の対象者が滞在可能な空間に光を照射する光源を制御する照明制御システムであって、第一時刻以降であり、且つ前記第一時刻よりも後の第二時刻以前の照射期間において、前記複数の対象者の各々が前記空間に滞在する予定期間を示す、滞在予定情報を取得する取得部と、前記滞在予定情報から前記光源に前記光を照射させる照射予定を作成する作成部と、前記照射予定に従って前記光源に光を照射させる制御部と、を備え、前記作成部は、前記滞在予定情報において前記複数の対象者の少なくとも２人に共通する予定期間を含む期間に前記光を照射させるように前記照射予定を作成する。
【０００９】
また、本発明の一態様に係る照明システムは、上記照明制御システムと、上記光源と、を備える。
【００１０】
また、本発明の一態様に係る照明制御方法は、複数の対象者が滞在可能な空間に光を照射する光源を制御する照明制御方法であって、第一時刻以降であり、且つ前記第一時刻よりも後の第二時刻以前において、前記複数の対象者の各々が前記空間に滞在する予定期間を示す、滞在予定情報を取得する滞在予定情報取得ステップと、前記滞在予定情報から前記光源に前記光を照射させる照射予定を作成する照射予定作成ステップと、前記照射予定に従って前記光源を制御する光源制御ステップと、を含み、前記照射予定作成ステップでは、前記滞在予定情報において前記複数の対象者の少なくとも２人に共通する予定期間を含む期間に前記光源制御ステップで前記光源に前記光を照射させるように前記照射予定を作成する。
【００１１】
なお、本発明は、上記照明制御方法に含まれるステップをコンピュータに実行させるプログラムとして実現されてもよい。また、本発明は、そのプログラムを記録したコンピュータによって読み取り可能なＣＤ−ＲＯＭ等の記録媒体として実現されてもよい。また、本発明は、そのプログラムを示す情報、データ又は信号として実現されてもよい。そして、それらプログラム、情報、データ及び信号は、インターネット等の通信ネットワークを介して配信されてもよい。
【発明の効果】
【００１２】
本発明の照明制御システム等によれば、複数の対象者に効率良く光を照射することができる。
【図面の簡単な説明】
【００１３】
【図１】図１は、実施の形態に係る照明システムを説明するための図である。
【図２】図２は、実施の形態に係る照明システムの特徴的な機能構成を示すブロック図である。
【図３】図３は、実施の形態に係る照明制御システムが照射予定を作成して光源に光を照射させるまでの処理手順の一例を示すフローチャートである。
【図４】図４は、実施の形態に係る照明制御システムが作成する照射予定を説明するための図である。
【図５】図５は、実施の形態に係る照明制御システムが照射予定を作成して光源に光を照射させるまでの処理手順の別の一例を示すシーケンス図である。
【図６Ａ】図６Ａは、実施の形態に係る照明制御システムが照射予定を作成する処理手順を示すフローチャートである。
【図６Ｂ】図６Ｂは、実施の形態に係る照明制御システムが第一時刻までに作成する照射予定を説明するための図である。
【図７Ａ】図７Ａは、実施の形態に係る照明制御システムが照射予定を再作成する処理手順を示すフローチャートである。
【図７Ｂ】図７Ｂは、実施の形態に係る照明制御システムが第三時刻までに作成する照射予定を説明するための図である。
【図８Ａ】図８Ａは、実施の形態に係る照明制御システムが対象者の受光状況を判定する処理手順を示すフローチャートである。
【図８Ｂ】図８Ｂは、実施の形態に係る照明制御システムが第四時刻までに作成する照射予定を説明するための図である。
【図８Ｃ】図８Ｃは、実施の形態に係る照明制御システムが出力するアラート情報を説明するための図である。
【図９Ａ】図９Ａは、実施の形態に係る照明制御システムが対象者の第二時刻までに照射された光量の判定を説明するための図である。
【図９Ｂ】図９Ｂは、実施の形態に係る照明制御システムが出力する対象者の第二時間までの受光時間を示す受光時間情報を説明するための図である。
【発明を実施するための形態】
【００１４】
以下、実施の形態に係る照明制御システム等について、図面を参照しながら説明する。なお、以下で説明する実施の形態は、いずれも包括的又は具体的な例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、最上位概念を示す独立請求項に記載されていない構成要素については、任意の構成要素として説明される。
【００１５】
なお、各図は模式図であり、必ずしも厳密に図示されたものではない。また、各図において、実質的に同一の構成に対しては同一の符号を付しており、重複する説明は省略又は簡略化される場合がある。
【００１６】
（実施の形態）
［照明システムの概要］
まず、図１を参照して、実施の形態に係る照明システムの概要について説明する。
【００１７】
図１は、実施の形態に係る照明システム３００を説明するための図である。
【００１８】
照明システム３００は、部屋等の空間Ｒに滞在する複数の対象者Ａ〜Ｃに光を照射するシステムである。具体的には、照明システム３００は、対象者Ａ〜Ｃに光を照射することで、対象者Ａ〜Ｃの生体リズムを整えるために用いられる。照明システム３００は、例えば、太陽光と同等の光を光源２００から対象者Ａ〜Ｃに向けて照射する。
【００１９】
なお、図１には、対象者Ａ、対象者Ｂ、及び、対象者Ｃの３人を図示しているが、照明システム３００の機能が適用される対象者の数は、複数であればよく、２人でもよいし、４人以上でもよい。以下の説明においては、対象者Ａ、対象者Ｂ及び対象者Ｃの３人の場合について説明する。
【００２０】
照明システム３００は、光を照射する光源２００と、照明制御システム１００とを備える。
【００２１】
光源２００は、対象者Ａ〜Ｃに照射する光を発する光源である。光源２００は、対象者Ａ〜Ｃに照射する光を発することができればよく、材料、構成等は特に限定されない。光源２００は、例えば、ＬＥＤ（Ｌｉｇｈｔ  Ｅｍｉｔｔｉｎｇ  Ｄｉｏｄｅ）、蛍光灯、メタルハライドランプ等である。また、光源２００が発する光の色は、特に限定されるものではなく、例えば、電球色、白色、昼白色等である。なお、光源２００が発する光の色は、赤色光、青色光等の単色光でもよい。
【００２２】
照明制御システム１００は、光源２００を制御する制御装置である。具体的には、照明制御システム１００は、光源２００の点灯及び消灯を制御する。また、照明制御システム１００は、光源２００を点灯及び消灯させるスケジュールである照射予定を作成する。
【００２３】
照明制御システム１００は、例えば、対象者Ａ〜Ｃから、どの時刻に空間Ｒに滞在するかを示す滞在予定情報を取得する。対象者Ａ〜Ｃは、例えば、キーボード等の入力機構を備える入力装置５００を操作して、照明制御システム１００へ自身の滞在予定情報を出力（送信）する。なお、対象者Ａ〜Ｃが照明制御システム１００へ自身の滞在情報を出力する手段は、特に限定されない。対象者Ａ〜Ｃは、例えば、スマートフォン等の外部端末６００を操作して、照明制御システム１００へ自身の滞在情報を出力してもよい。
【００２４】
照明制御システム１００は、対象者Ａ〜Ｃから取得した滞在予定情報に基づいて、光源２００を点灯及び消灯させる照射予定を決定する。
【００２５】
通知装置４００は、照明制御システム１００が生成した画像等を表示するための表示装置である。通知装置４００には、例えば、後述する図８Ｃに示す画像等が表示される。通知装置４００は、例えば、液晶ディスプレイ、有機ＥＬ（Ｅｌｅｃｔｒｏ  Ｌｕｍｉｎｅｓｃｅｎｃｅ）ディスプレイ等である。なお、通知装置４００は、画像を表示する表示装置ではなく、音を発するスピーカ等でもよい。
【００２６】
［照明システムの構成］
続いて、図２を参照して、照明システム３００の具体的な構成について説明する。
【００２７】
図２は、実施の形態に係る照明システム３００の特徴的な機能構成を示すブロック図である。
【００２８】
照明システム３００は、光源２００と、照明制御システム１００とを備える。照明制御システム１００は、取得部１１０と、記憶部１２０と、作成部１３０と、制御部１４０とを備える。
【００２９】
取得部１１０は、第一時刻以降であり、且つ第一時刻よりも後の第二時刻以前の照射期間において、複数の対象者Ａ〜Ｃの各々における空間Ｒに滞在する予定期間である滞在予定情報を取得する。ここで照射期間とは、光源２００が光を照射してもよいとする時間帯を示す。例えば、第一時刻として、８：００、第二時刻として、１６：００等と予め定められているとする。この場合には、照明制御システム１００は、０：００〜８：００の時間帯と、１６：００〜２４：００の時間帯には、光源２００に光を照射させない照射予定を作成する。なお、照射期間は、夜間、早朝等を除く時間帯に設定されればよく、第一時刻及び第二時刻に設定される時刻は、特に限定されない。
【００３０】
対象者Ａ〜Ｃは、入力装置５００、外部端末６００等を操作して、第一時刻と第二時刻との間のどの時刻に空間Ｒに滞在しているかを滞在予定情報として照明制御システム１００へ出力する。なお、照明制御システム１００は、インターネットと接続されていてもよい。この場合、滞在予定情報は、対象者が利用するパーソナルコンピュータ等から、インターネットを介して照明制御システム１００へ出力されてもよい。
【００３１】
取得部１１０は、例えば、入力装置５００、外部端末６００から出力される滞在予定情報を取得するための通信インターフェースである。記憶部１２０は、取得部１１０で取得された滞在予定情報を記憶する。
【００３２】
記憶部１２０は、対象者Ａ〜Ｃの滞在予定情報を記憶するメモリである。記憶部１２０は、例えば、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、ＳＳＤ（Ｓｏｌｉｄ  Ｓｔａｔｅ  Ｄｅｖｉｃｅ）、フラッシュメモリ等である。
【００３３】
作成部１３０は、記憶部１２０に記憶された滞在予定情報を読み込んで、照射予定を作成する。具体的には、作成部１３０は、滞在予定情報において複数の対象者の少なくとも２人に共通する予定期間を含む期間に光源２００の光を照射させるように照射予定を作成する。
【００３４】
作成部１３０は、例えば、滞在予定情報に基づいて、複数の対象者Ａ〜Ｃのそれぞれの予定期間のうち、共通する対象者の人数が多い予定期間を含む期間から順番に照射予定を作成してもよい。
【００３５】
また、作成部１３０は、例えば、照射予定の候補となる期間が２以上ある場合、候補のうち最も早い時刻を含む期間を照射予定として作成してもよい。
【００３６】
作成部１３０は、例えば、ＣＰＵ（Ｃｅｎｔｒａｌ  Ｐｒｏｃｅｓｓｉｎｇ  Ｕｎｉｔ）と、記憶部１２０に記憶されたＣＰＵが実行する制御プログラムとによって実現される。
【００３７】
制御部１４０は、作成部１３０が作成した照射予定に従って光源２００を制御する。具体的には、制御部１４０は、作成部１３０が作成した照射予定に従って光源２００の点灯（オン）と消灯（オフ）とを切り替える制御をする。制御部１４０は、例えば、ＣＰＵと、記憶部１２０に記憶されたＣＰＵが実行する制御プログラムとによって実現される。
【００３８】
なお、作成部１３０及び制御部１４０は、１つのＣＰＵで実現されてもよいし、別々のＣＰＵで実現されてもよい。また、作成部１３０及び制御部１４０が実行する制御プログラムは、記憶部１２０に記憶されてもよいし、照明制御システム１００が別に備える図示しないメモリに記憶されてもよい。
【００３９】
また、作成部１３０は、第一時刻の前に記憶部１２０に記憶された滞在予定情報から照射予定を作成する。ここで、対象者Ａ〜Ｃによっては、空間Ｒに滞在する予定が変更される場合が考えられる。そのため、作成部１３０は、取得部１１０が第一時刻より後に照射予定の変更を指示する指示情報を取得した場合、当該滞在予定情報に基づいて照射予定を再作成してもよい。照明制御システム１００のユーザは、例えば、外部端末６００を操作して、第一時刻以降に指示情報を照明制御システム１００へ出力する。指示情報には、例えば、照射予定を変更する時刻の情報、対象者Ａ〜Ｃの滞在予定情報が変更になった場合には変更された対象者Ａ〜Ｃの滞在予定情報等が含まれる。作成部１３０は、取得部１１０が取得した指示情報に基づいて、照射予定を再作成する。
【００４０】
また、例えば、作成部１３０は、所定の時間間隔おきに、記憶部１２０に記憶された滞在予定情報から照射予定を再作成してもよい。例えば、作成部１３０は、まず、第一時刻の一例である８：００より前の７：５５に記憶部１２０に記憶された滞在予定情報から照射予定を作成する。次に、作成部１３０は、例えば、１１：５５に再度記憶部１２０に記憶されている滞在予定情報から、１２：００以降の照射予定を再作成する。
【００４１】
また、取得部１１０は、対象者Ａ〜Ｃに光を照射する目標時間となる目標受光時間を取得してもよい。作成部１３０は、取得部１１０が取得した対象者Ａ〜Ｃの目標受光時間と、対象者Ａ〜Ｃの滞在予定情報とに基づいて、照射予定を作成してもよい。
【００４２】
例えば、対象者Ａ〜Ｃは、外部端末６００を操作して、受光状況として受光時間を照明制御システム１００へ出力してもよいし、受光した受光量を出力してもよい。この場合、作成部１３０は、例えば、受光量から、対象者がすでに受光した受光時間を算出してもよい。また、対象者Ａ〜Ｃが外部端末６００を操作することで受光状況を出力してもよいし、照明制御システム１００が光センサを備え、当該光センサを対象者が持ち運び、当該光センサで受光した受光量を、対象者の受光状況として、外部端末６００が自動で出力してもよい。例えば、作成部１３０は、当該受光量と、光源２００が単位時間当たりに照射する光量とから、対象者が空間Ｒにいた際に照射されると推定される受光時間を受光状況として算出してもよい。
【００４３】
例えば、対象者は、光センサを装着する。取得部１１０は、当該光センサから、受光量を継続的に取得して記憶部１２０に記憶させる。１時間継続して１０００ｌｘの光を受光すると、その受光量は、１０００ｌｘ・ｈｏｕｒとなる。この場合、取得部１１０が取得する情報（受光量）は、１０００ｌｘ・ｈｏｕｒである。さらに、少なくとも１つ以上の受光量情報であるため、２つ以上の受光量情報であってもよい。
【００４４】
なお、受光状況は、受光量でなくてもよい。受光状況は、例えば、対象者が屋外にどの程度の時間、又は、屋内にどの程度の時間滞在したか、等の情報でもよい。照明制御システム１００は、当該情報から、対象者の受光量を推定してもよい。例えば、対象者は、ＧＰＳ（Ｇｌｏｂａｌ  Ｐｏｓｉｔｉｏｎｉｎｇ  Ｓｙｓｔｅｍ）機能を有する装置を持ち運ぶ。照明制御システム１００は、当該装置から、対象者が屋内にいた時間と屋外にいた時間とを取得し、滞在時間に対して、例えば、屋外を１００００ｌｘ、屋内を３００ｌｘ、等と予め定めておき、受光量を推定してもよい。
【００４５】
また、照明制御システム１００は、受光状況として、さらに、天気、季節等の情報を取得し、当該情報に応じて受光量を推定してもよい。照明制御システム１００は、例えば、雨の日の屋外は５０００ｌｘ、雨の日の屋内は１５０ｌｘ、夏は春又は秋に比べて１．５倍の受光量とし、冬は春又は秋に比べて０．８倍の受光量とするように、対象者の受光量を推定してもよい。
【００４６】
また、受光状況は、屋内、屋外等の対象者の滞在情報だけではなく、空間Ｒでの滞在情報でもよい。対象者は、例えば、ＲＦタグ（Ｒａｄｉｏ  Ｆｒｅｑｕｅｎｃｙ）を持ち運ぶ。照明制御システム１００は、当該ＲＦタグと通信することで、対象者が空間Ｒにいるかどうかを取得してもよい。また、照明制御システム１００は、カメラを備え、空間Ｒを撮影するカメラから動画像を取得して、当該動画像を解析することで、対象者が空間Ｒにいるかどうかを取得してもよい。また、例えば、外部端末６００等を操作して、対象者又はそれ以外の他者が、受光量を照明制御システム１００へ出力してもよい。
【００４７】
また、受光状況は、受光量ではなく、例えば、受光時間で設定されてもよい。一般的には、対象者は、１日当たり５０００ｌｘ・ｈｏｕｒの受光量が要求される。そのため、光源２００から照射される光によって、対象者の顔面照度が１０００ｌｘとなるように空間Ｒに光源２００が配置されていれば、対象者は１日当たり５時間の受光時間が要求される。また、例えば、対象者の顔面照度が１７００ｌｘとなるように空間Ｒに光源２００が配置されていれば、対象者は１日当たり３時間の受光時間が要求される。このように、目標受光時間及び受光状況から算出される受光時間は、光源２００が照射する光の光量、空間Ｒでの光源２００の配置等から適宜設定されてもよい。本実施の形態では、受光状況として、受光時間を取得するものとして説明する。
【００４８】
なお、目標受光時間は任意に定められてもよい。照明制御システム１００は、例えば、圧力センサを備え、対象者のベッドに当該圧力センサを配置し、当該圧力センサから圧力の変化を取得して、対象者の睡眠時間を推定してもよい。照明制御システム１００は、推定した対象者の睡眠時間から、目標受光時間を算出してもよい。照明制御システム１００は、例えば、対象者の毎日の睡眠時間を算出する。照明制御システム１００は、対象者の睡眠時間が短くなったと判定した場合に、目標受光時間を通常の目標受光時間より長くなるように設定してもよい。
【００４９】
また、作成部１３０は、対象者Ａ〜Ｃの各々の滞在予定情報と目標受光時間とに基づいて、複数の対象者Ａ〜Ｃのうち、目標受光時間以上となる対象者Ａ〜Ｃの人数が最大になるように、照射予定を作成してもよい。
【００５０】
また、作成部１３０は、滞在予定情報と目標受光時間とに基づいて、複数の対象者Ａ〜Ｃが目標受光時間以上に達するか否かを判定してもよい。この場合に、制御部１４０は、複数の対象者Ａ〜Ｃのうち、目標受光時間以上に達しない未達の対象者がいると作成部１３０が判定した場合、未達の対象者がいる旨を示すアラート情報を出力してもよい。アラート情報は、例えば、画像情報、音声情報である。例えば、制御部１４０は、通知装置４００、外部端末６００へ当該情報を出力する。通知装置４００、外部端末６００は、取得したアラート情報に基づいて画像、音声等を出力する。
【００５１】
さらに、取得部１１０は、対象者Ａ〜Ｃから自身の受光状況を取得してもよい。例えば、対象者Ａ〜Ｃは、空間Ｒに滞在して光源２００からの光を受光する他に、太陽光を浴びていることが考えられる。作成部１３０は、対象者Ａ〜Ｃがすでに受光している光量、又は、所定の光量を受光した受光時間を示す受光状況から対象者Ａ〜Ｃの目標受光時間を補正し、照射予定を作成してもよい。つまり、取得部１１０は、第一時刻より後で、且つ第二時刻より前の第三時刻までの複数の対象者Ａ〜Ｃの各々に対応する受光状況を取得してもよい。この場合には、作成部１３０は、第二時刻より前に、当該受光状況と目標受光時間とを照合して、複数の対象者Ａ〜Ｃが目標受光時間以上に達するか否かを判定してもよい。作成部１３０は、複数の対象者Ａ〜Ｃのうち、目標受光時間以上に達しない未達の対象者がいると判定した場合、第三時刻以降における照射予定を再作成してもよい。
【００５２】
なお、照明制御システム１００は、時刻を測定するために、ＲＴＣ（Ｒｅａｌ  Ｔｉｍｅ  Ｃｌｏｃｋ）等の計時部を備えてもよい。作成部１３０は、当該計時部から現在時刻を取得してもよい。或いは、照明制御システム１００は、外部端末６００等から通信により現在時刻を取得してもよい。
【００５３】
また、制御部１４０は、第三時刻に目標受光時間以上に達しない未達の対象者がいると作成部１３０が判定した場合、未達の対象者がいる旨を示すアラート情報を通知装置４００、外部端末６００へ出力してもよい。
【００５４】
また、取得部１１０は、第三時刻より後で、且つ第二時刻より前の第四時刻までの複数の対象者の各々の受光状況を取得してもよい。第四時刻は、例えば、第二時刻の一時間前等、一日で予定されていた照射期間のうちの残り時間が少なくなっている時刻である。
【００５５】
作成部１３０は、第二時刻より前に、複数の対象者Ａ〜Ｃの受光状況と目標受光時間とを照合して、複数の対象者Ａ〜Ｃが目標受光時間以上に達するか否かを判定してもよい。この場合に、制御部１４０は、複数の対象者Ａ〜Ｃのうち、目標受光時間以上に達しない未達の対象者がいると作成部１３０が判定した場合、未達の対象者がいる旨を示すアラート情報を出力し、第二時刻まで光源２００に光を照射させてもよい。このようにして、一日で予定されていた照射期間のうちの残り時間が少なくなっている場合、目標受光時間以上に達しない未達の対象者がいるとき、照明制御システム１００は、光源２００に第二時間まで光を照射させ続ける。
【００５６】
また、取得部１１０は、複数の対象者Ａ〜Ｃの各々の第二時刻までの受光状況を取得してもよい。この場合、作成部１３０は、複数の対象者Ａ〜Ｃの各々が、目標受光時間以上に達しているか否かを判定してもよい。また、制御部１４０は、作成部１３０の判定結果を示す結果情報を出力してもよい。つまり、制御部１４０は、対象者Ａ〜Ｃの各々の一日の受光状況の結果を対象者Ａ〜Ｃへ通知してもよい。結果情報は、例えば、画像情報、音声情報である。例えば、制御部１４０は、通知装置４００、外部端末６００へ結果情報を出力する。当該情報を取得した通知装置４００、外部端末６００は、結果情報に基づいて画像、音声等を出力する。
【００５７】
［照明システムの動作手順］
続いて、図３及び図４を参照して、照明制御システム１００が照射予定を作成して、光源２００から光を照射させる具体的な処理手順について説明する。
【００５８】
図３は、実施の形態に係る照明制御システム１００が照射予定を作成して光源２００に光を照射させるまでの処理手順を示すフローチャートである。図４は、実施の形態に係る照明制御システム１００が作成する照射予定を説明するための図である。
【００５９】
図３に示すように、取得部１１０は、対象者Ａ〜Ｃから滞在予定情報を取得する（ステップＳ１０１）。
【００６０】
次に、取得部１１０は、取得した滞在予定情報を記憶部１２０に記憶させる（ステップＳ１０２）。
【００６１】
次に、作成部１３０は、記憶部１２０に記憶された滞在予定情報と照射期間と目標受光時間とから、照射予定を作成する（ステップＳ１０３）。
【００６２】
次に、制御部１４０は、作成部１３０が作成した照射予定に基づいて光源２００を制御する（ステップＳ１０４）。
【００６３】
図４に示すように、例えば、取得部１１０は、対象者Ａから滞在予定情報ＳＡを取得し、対象者Ｂから滞在予定情報ＳＢを取得し、対象者Ｃから滞在予定情報ＳＣを取得したとする。なお、図４においては、対象者Ａ〜Ｃの各々の目標受光時間は、対象者Ａ〜Ｃに共通の時間が予め定められているものとする。例えば、図４には、対象者Ａ〜Ｃの目標受光時間として、３時間が定められている。また、図４においては、照射期間は、予め定められており、例えば、図４には、８：００〜１６：００までと定められているものとする。つまり、この場合、第一時刻は、８：００であり、第二時刻は、１６：００である。
【００６４】
この場合、作成部１３０は、まず、滞在予定情報ＳＡ〜ＳＣから、滞在者が多い８：００〜１０：００と、１４：００〜１６：００とを抽出する。また、作成部１３０は、対象者Ａ〜Ｃの目標受光時間が３時間であることから、８：００〜１０：００と、１４：００〜１６：００とから、３時間分の照射時間を決定する。例えば、作成部１３０は、時刻が早い、８：００〜１０：００の２時間と、１４：００〜１５：００の１時間との合計３時間の照射予定を作成する。制御部１４０は、作成部１３０が作成した照射予定に基づいて、８：００〜１０：００と、１４：００〜１５：００との時間には光源２００を点灯（ＯＮ）させ、それ以外の時間には光源２００を消灯（ＯＦＦ）させる。
【００６５】
なお、目標受光時間及び照射期間は、任意に定められてもよい。例えば、図３に示すステップＳ１０１において、取得部１１０は、照射期間及び対象者Ａ〜Ｃの各々の目標受光時間を取得してもよい。この場合、作成部１３０は、取得部１１０が取得した照射期間及び対象者Ａ〜Ｃの各々の目標受光時間に基づいて、照射予定を作成してもよい。なお、以下の説明においては、照射期間として、第一時刻が８：００、第二時刻が１６：００として予め定められているものとして説明する。
【００６６】
続いて、図５〜図９Ｂを参照して、照明制御システム１００が照射予定を作成して、光源２００から光を照射させる具体的な処理手順の別の一例について説明する。
【００６７】
図５は、実施の形態に係る照明制御システム１００が照射予定を作成して光源２００に光を照射させるまでの処理手順の別の一例を示すシーケンス図である。なお、図５〜図９Ｂにおいては、対象者Ａ〜Ｃは、外部端末６００を操作して、自身の滞在予定情報及び受光状況を照明制御システム１００へ出力する場合について説明する。また、図５〜図９Ｂにおいては、第一時刻が８：００、第二時刻が１６：００として予め照射期間が定められているものとして説明する。
【００６８】
対象者Ａ〜Ｃは、第一時刻までに外部端末６００を操作して、自身の滞在予定情報及び受光状況を照明制御システム１００へ出力する（ステップＳ２０１）。ここで、受光状況とは、対象者Ａ〜Ｃがすでに所定の光量を受光した受光時間である。例えば、第一時刻より前に、対象者Ａ〜Ｃは、太陽光等を受光していたとする。このような場合に、対象者Ａ〜Ｃは、すでに所定の光量を受光した受光時間を受光状況として照明制御システム１００へ出力する。
【００６９】
次に、照明制御システム１００は、外部端末６００から対象者Ａ〜Ｃの滞在予定情報及び受光状況を取得して記憶する。照明制御システム１００は、第一時刻までに記憶した対象者それぞれの滞在予定情報及び受光状況から、照射予定を作成する（ステップＳ２０２）。
【００７０】
図６Ａは、実施の形態に係る照明制御システム１００が照射予定を作成する処理手順を示すフローチャートである。具体的には、図６Ａは、図５に示すステップＳ２０２の詳細を説明するためのフローチャートである。図６Ｂは、実施の形態に係る照明制御システム１００が第一時刻までに作成する照射予定を説明するための図である。具体的には、図６Ｂは、図６Ａのフローチャートにしたがって作成部１３０が作成する照射予定における対象者Ａ〜Ｃの滞在予定情報、受光状況、及び、作成した照射予定を示す図である。
【００７１】
図６Ａに示すように、作成部１３０は、記憶部１２０に記憶されている対象者Ａ〜Ｃの滞在予定情報及び受光状況を読み込む（ステップＳ３０１）。具体的には、図６Ｂに示すように、作成部１３０は、ステップＳ３０１で、記憶部１２０から、対象者Ａの滞在予定情報ＳＡ及び受光状況ＬＡと、対象者Ｂの滞在予定情報ＳＢ及び受光状況ＬＢと、対象者Ｃの滞在予定情報ＳＣ及び受光状況ＬＣと、目標受光時間とを読み込む。なお、作成部１３０は、ステップＳ３０１において、対象者Ａの受光状況ＬＡと目標受光時間とから、対象者Ａの残り目標受光時間は２時間と算出する。
【００７２】
再び図６Ａを参照し、作成部１３０は、ステップＳ３０１の次に、記憶部１２０から読み込んだ対象者Ａ〜Ｃの滞在予定情報ＳＡ〜ＳＣから対象者の数がＮ番目に多い時間帯を選択する（ステップＳ３０２）。ここで、「Ｎ番目」の「Ｎ」には、ステップＳ３０２から、後述するステップＳ３０７までのステップ（Ｎループ）を実行した回数が適用される。つまり、初めにステップＳ３０２を実行する場合は、ステップＳ３０２では、記憶部１２０から読み込んだ対象者Ａ〜Ｃの滞在予定情報ＳＡ〜ＳＣから対象者の数が１番目に多い時間帯を選択する。２回目にステップＳ３０２を実行する場合は、ステップＳ３０２では、記憶部１２０から読み込んだ対象者Ａ〜Ｃの滞在予定情報ＳＡ〜ＳＣから対象者の数が２番目に多い時間帯を選択する。図６Ｂに示すように、作成部１３０は、ステップＳ３０２において、対象者Ａ〜Ｃの全員が空間Ｒに滞在する予定となっている９：００〜１０：００と、１１：００〜１２：００と、１４：００〜１６：００とを選択する。なお、作成部１３０が選択する時間帯の単位時間は、任意に設定されてよい。例えば、単位時間として、１時間と予め設定されているとする。この場合、作成部１３０は、ステップＳ３０２において、対象者Ａ〜Ｃの全員が空間Ｒに滞在する予定となっている９：００〜１０：００と、１１：００〜１２：００と、１４：００〜１５：００と、１５：００〜１６：００との４つの時間帯を選択する。
【００７３】
再び図６Ａを参照し、作成部１３０は、ステップＳ３０２の次に、ステップＳ３０２で選択した時間帯のうち、Ｋ番目に早い時間帯を照射予定とする（ステップＳ３０３）。ここで、「Ｋ番目」の「Ｋ」には、ステップＳ３０３から、後述するステップＳ３０６までのステップ（Ｋループ）を実行した回数が適用される。つまり、初めにステップＳ３０３を実行する場合は、ステップＳ３０３では、ステップＳ３０２で選択した時間帯のうち、１番目に早い時間帯を照射予定とする。２回目にステップＳ３０３を実行する場合は、ステップＳ３０３では、ステップＳ３０２で選択した時間帯のうち、２番目に早い時間帯を照射予定とする。作成部１３０は、ステップＳ３０３において、９：００〜１０：００と、１１：００〜１２：００と、１４：００〜１５：００と、１５：００〜１６：００との４つの時間帯のうち、９：００〜１０：００を照射予定とする。
【００７４】
次に、作成部１３０は、作成した照射予定において、全ての対象者Ａ〜Ｃの予定受光時間が目標受光時間以上となっているか否かを判定する（ステップＳ３０４）。作成部１３０は、作成した照射予定において、全ての対象者Ａ〜Ｃの予定受光時間が目標受光時間以上となっていると判定した場合（ステップＳ３０４でＹｅｓ）、照射予定の作成を終了する。
【００７５】
一方、作成部１３０は、作成した照射予定において、対象者Ａ〜Ｃのいずれかの予定受光時間が目標受光時間以上となっていないと判定した場合（ステップＳ３０４でＮｏ）、全ての対象者が目標受光時間未満となっているか否かを判定する（ステップＳ３０５）。作成部１３０は、対象者Ａ〜Ｃのいずれかは目標受光時間以上となっていると判定した場合（ステップＳ３０５でＮｏ）、作成した照射予定では目標受光時間未満となっている対象者のみを対象として（ステップＳ３０９）、ステップＳ３０２の処理に戻る。
【００７６】
なお、作成部１３０は、ステップＳ３０５でＮｏと判定をした場合、Ｎループ及びＫループを実行した回数を初期化して、カウントし直す。
【００７７】
一方、作成部１３０は、全ての対象者Ａ〜Ｃが目標受光時間未満となっていると判定した場合（ステップＳ３０５でＹｅｓ）、Ｋループの回数が選択した時間帯の数より多いか否かを判定する（ステップＳ３０６）。作成部１３０は、Ｋループの回数が選択した時間帯の数より多くないと判定した場合（ステップＳ３０６でＮｏ）、ステップＳ３０３の処理に戻る（Ｋループ）。つまり、作成部１３０は、ステップＳ３０６では、ステップＳ３０２で選択した時間帯の数が、Ｋループの回数より多いか否かを判定する。
【００７８】
作成部１３０は、Ｋループの回数が選択した時間帯の数より多いと判定した場合（ステップＳ３０６でＹｅｓ）、Ｎループの回数が対象者Ａ〜Ｃの人数より少ないか否かを判定する（ステップＳ３０７）。作成部１３０は、Ｎループの回数が対象者Ａ〜Ｃの人数より少ないと判定した場合（ステップＳ３０７でＹｅｓ）、ステップＳ３０２の処理に戻る（Ｎループ）。
【００７９】
一方、作成部１３０は、Ｎループの回数が対象者Ａ〜Ｃの人数より少なくないと判定した場合（ステップＳ３０７でＮｏ）、作成した照射予定では目標受光時間以上の時間受光できない（目標受光時間以上に達しない）未達の対象者が存在する旨を示す情報であるアラート情報を制御部１４０に外部端末６００、通知装置４００等へ出力させる指示を出して（ステップＳ３０８）、ステップＳ２０２の処理を終了する。
【００８０】
図６Ｂに示すように、作成部１３０は、図６Ａに示すフローチャートにしたがう処理を実行し、９：００〜１０：００、１１：００〜１２：００、１４：００〜１５：００に制御部１４０に光源２００を制御し光を照射させる照射予定を作成する。
【００８１】
再び図５を参照し、制御部１４０は、ステップＳ２０２で作成部１３０が作成した照射予定に基づいて光源２００を制御して光を照射させる（ステップＳ２０３）。
【００８２】
対象者Ａ〜Ｃは、ステップＳ２０２で作成部１３０が照射予定を作成した後（つまり、第一時刻以降）においても、外部端末６００、入力装置５００等を操作して、照明制御システム１００へ自身の受光状況を出力してもよい（ステップＳ２０４）。照明制御システム１００は、受光状況を取得した場合に、当該受光状況を記憶する。照明制御システム１００は、受光状況をすでに取得している場合には、記憶している受光状況を取得した受光状況に更新する。
【００８３】
作成部１３０は、予め定められた第三時刻までに、記憶部１２０に記憶している受光状況に基づいて、照射予定を再作成してもよい。なお、第三時刻は、照明制御システム１００のユーザが任意に設定できてもよい。本実施の形態では、第三時刻が１２：００に予め設定されているものとして説明する。
【００８４】
図７Ａは、実施の形態に係る照明制御システム１００が照射予定を再作成する処理手順を示すフローチャートである。具体的には、図７Ａは、図５に示すステップＳ２０２の詳細を説明するためのフローチャートである。図７Ｂは、実施の形態に係る照明制御システム１００が第三時刻までに作成する照射予定を説明するための図である。具体的には、図７Ｂは、図７Ａのフローチャートにしたがって作成部１３０が再作成する照射予定における対象者Ａ〜Ｃの滞在予定情報、受光状況、及び、再作成した照射予定を示す図である。
【００８５】
図７Ａに示すように、作成部１３０は、記憶部１２０に記憶されている対象者Ａ〜Ｃの滞在予定情報及び受光状況を読み込む（ステップＳ４０１）。具体的には、作成部１３０は、第三時刻までに、ステップＳ４０１で、記憶部１２０から、図７Ｂに示す対象者Ａの滞在予定情報ＳＡ及び受光状況ＬＡと、対象者Ｂの滞在予定情報ＳＢ及び受光状況ＬＢと、対象者Ｃの滞在予定情報ＳＣ及び受光状況ＬＣと、目標受光時間とを読み込む。例えば、図７Ｂに示すように、第三時刻までの時点で、対象者Ａの受光時間（受光状況ＬＡ）が１時間であり、対象者Ｂの受光時間（受光状況ＬＢ）が１時間であり、対象者Ｃの受光時間（受光状況ＬＣ）が２時間であるとする。つまり、対象者Ａ及び対象者Ｂは、照明制御システム１００が第一時刻までに取得した滞在予定情報ＳＡ及び滞在予定情報ＳＢのとおりに光源２００の光を照射されていなかったとする。このような場合に、図６Ｂに示す照射予定では、対象者Ｂは目標受光時間以上の時間受光をすることができない。照明制御システム１００は、新たに取得した受光状況ＬＡ〜ＬＣに基づいて、照射予定を再作成する。
【００８６】
再び図７Ａを参照し、作成部１３０は、受光時間が目標受光時間未満の対象者がいるか否かを判定する（ステップＳ４０２）。作成部１３０は、受光時間が目標受光時間未満の対象者がいないと判定した場合（ステップＳ４０２でＮｏ）、第三時刻以降に光源２００に光を照射させない照射予定を作成し（ステップＳ４１１）、ステップＳ２０５の処理を終了する。
【００８７】
一方、作成部１３０は、受光時間が目標受光時間未満の対象者がいると判定した場合（ステップＳ４０２でＹｅｓ）、目標受光時間未満の対象者を対象として（ステップＳ４０３）、ステップＳ４０３より後のステップを実行する。
【００８８】
次に、作成部１３０は、記憶部１２０から読み込んだ対象者Ａ〜Ｃの滞在予定情報ＳＡ〜ＳＣから対象者の数がＭ番目に多い時間帯を選択する（ステップＳ４０４）。ここで、「Ｍ番目」の「Ｍ」には、ステップＳ４０４から、後述するステップＳ４０９までのステップ（Ｎループ）を実行した回数が適用される。つまり、初めにステップＳ４０４を実行する場合は、ステップＳ４０４では、記憶部１２０から読み込んだ対象者Ａ〜Ｃの滞在予定情報ＳＡ〜ＳＣから対象者の数が１番目に多い時間帯を選択する。２回目にステップＳ４０４を実行する場合は、ステップＳ４０４では、記憶部１２０から読み込んだ対象者Ａ〜Ｃの滞在予定情報ＳＡ〜ＳＣから対象者の数が２番目に多い時間帯を選択する。図７Ｂに示すように、作成部１３０は、ステップＳ４０４において、対象者Ａ〜Ｃの全員が空間Ｒに滞在する予定となっている１４：００〜１５：００と、１５：００〜１６：００との２つの時間帯を選択する。
【００８９】
再び図７Ａを参照し、作成部１３０は、ステップＳ４０４の次に、ステップＳ４０４で選択した時間帯のうち、Ｌ番目に早い時間帯を照射予定とする（ステップＳ４０５）。ここで、「Ｌ番目」の「Ｌ」には、ステップＳ４０５から、後述するステップＳ４０８までのステップ（Ｌループ）を実行した回数が適用される。つまり、初めにステップＳ４０５を実行する場合は、ステップＳ４０５では、ステップＳ４０４で選択した時間帯のうち、１番目に早い時間帯を照射予定とする。２回目にステップＳ４０５を実行する場合は、ステップＳ４０５では、ステップＳ４０４で選択した時間帯のうち、２番目に早い時間帯を照射予定とする。作成部１３０は、ステップＳ４０５において、１４：００〜１５：００と、１５：００〜１６：００との２つの時間帯のうち、１４：００〜１５：００を照射予定とする。
【００９０】
次に、作成部１３０は、作成した照射予定において、全ての対象者Ａ〜Ｃの予定受光時間が目標受光時間以上となっているか否かを判定する（ステップＳ４０６）。作成部１３０は、作成した照射予定において、全ての対象者Ａ〜Ｃの予定受光時間が目標受光時間以上となっていると判定した場合（ステップＳ４０６でＹｅｓ）、照射予定の作成を終了する。
【００９１】
一方、作成部１３０は、作成した照射予定において、対象者Ａ〜Ｃのいずれかの予定受光時間が目標受光時間以上となっていないと判定した場合（ステップＳ４０６でＮｏ）、全ての対象者が目標受光時間未満となっているか否かを判定する（ステップＳ４０７）。作成部１３０は、対象者Ａ〜Ｃのいずれかは目標受光時間以上となっていると判定した場合（ステップＳ４０７でＮｏ）、ステップＳ４０３の処理に戻る。つまり、作成部１３０は、Ｓ４０７でＮｏと判定したステップＳ４０３では、目標受光時間以上に達していない対象者Ａ及び対象者Ｂを対象として、次からのステップの処理を実行する。そのため、作成部１３０は、次のステップＳ４０４では、１２：００〜１３：００と、１４：００〜１５：００と、１５：００〜１６：００との３つの時間帯を選択する。
【００９２】
なお、作成部１３０は、ステップＳ４０７でＮｏの判定をした場合、Ｍループ及びＬループの回数を初期化して、カウントし直す。
【００９３】
一方、作成部１３０は、全ての対象者Ａ〜Ｃが目標受光時間未満となっていると判定した場合（ステップＳ４０７でＹｅｓ）、Ｌループの回数が選択した時間帯の数より多いか否かを判定する（ステップＳ４０８）。作成部１３０は、Ｌループの回数が選択した時間帯の数より多くないと判定した場合（ステップＳ４０８でＮｏ）、ステップＳ４０５の処理に戻る（Ｌループ）。つまり、作成部１３０は、ステップＳ４０８では、ステップＳ４０４で選択した時間帯の数が、Ｌループの回数より多いか否かを判定する。
【００９４】
作成部１３０は、Ｌループの回数が選択した時間帯の数より多いと判定した場合（ステップＳ４０８でＹｅｓ）、Ｌループの回数が対象者Ａ〜Ｃの人数より少ないか否かを判定する（ステップＳ４０９）。作成部１３０は、Ｍループの回数が対象者Ａ〜Ｃの人数より少ないと判定した場合（ステップＳ４０９でＹｅｓ）、ステップＳ４０４の処理に戻る（Ｍループ）。
【００９５】
一方、作成部１３０は、Ｍループの回数が対象者Ａ〜Ｃの人数より少なくないと判定した場合（ステップＳ４０９でＮｏ）、作成した照射予定では目標受光時間以上に達しない未達の対象者が存在する旨を示す情報であるアラート情報を制御部１４０に外部端末６００、通知装置４００等へ出力させる指示を出して（ステップＳ４１０）、ステップＳ４０４の処理を終了する。
【００９６】
図７Ｂに示すように、作成部１３０は、図７Ａに示すフローチャートにしたがう処理を実行し、１２：００〜１３：００、１４：００〜１５：００に制御部１４０に光源２００を制御し光を照射させる照射予定を再作成する。
【００９７】
再び図５を参照し、ステップＳ２０５の次に、照明制御システム１００は、作成した照射予定に基づいて、光源２００を制御する（ステップＳ２０６）。
【００９８】
次に、対象者Ａ〜Ｃは、外部端末６００を操作して、第四時刻までに自身の受光状況を照明制御システム１００へ出力する（ステップＳ２０７）。
【００９９】
照明制御システム１００は、外部端末６００から対象者Ａ〜Ｃの受光状況を取得して記憶する。照明制御システム１００は、第四時刻までに、記憶した対象者Ａ〜Ｃの各々の受光状況から、予定している照射予定で対象者Ａ〜Ｃの全員が目標受光時間以上に達するか否かを判定する（ステップＳ２０８）。
【０１００】
図８Ａは、実施の形態に係る照明制御システム１００が対象者Ａ〜Ｃの受光状況を判定する処理手順を示すフローチャートである。
【０１０１】
作成部１３０は、現在時刻が第四時刻になった場合に、記憶部１２０に記憶されている対象者Ａ〜Ｃの受光状況を読み込む（ステップＳ４０２）。第四時刻は予め定められていてもよいし、照明制御システム１００のユーザが任意に定められてもよい。本実施の形態においては、第四時刻は１５：００と予め定められているものとして説明する。
【０１０２】
次に、作成部１３０は、記憶部１２０から読み込んだ対象者Ａ〜Ｃの受光状況から、目標受光時間未満の対象者がいるか否かを判定する（ステップＳ４０３）。
【０１０３】
作成部１３０は、目標受光時間未満の対象者がいると判定した場合（ステップＳ４０３でＹｅｓ）、第二時刻まで光源２００に光を照射させ続ける照射予定を作成する（ステップＳ４０４）。また、作成部１３０は、制御部１４０にアラート情報を出力させるように指示する（ステップＳ４０５）。
【０１０４】
一方、作成部１３０は、目標受光時間未満の対象者がいないと判定した場合（ステップＳ４０３でＮｏ）、第四時刻以降に光源２００に光を照射させない照射予定を作成する（ステップＳ４０６）。
【０１０５】
図８Ｂは、実施の形態に係る照明制御システム１００が第四時刻までに作成する照射予定を説明するための図である。なお、図８Ｂは、図８Ａに示すステップＳ４０３でＹｅｓだった場合の一例を示す図である。
【０１０６】
図８Ｂに示すように、作成部１３０は、対象者Ａの受光状況ＬＡ及び対象者Ｃの受光状況ＬＣから、対象者Ａ及び対象者Ｃは、受光時間が３時間であるために、目標受光時間以上の光を受光していると判定する。また、対象者Ｂの受光状況ＬＢから、対象者Ｂは、受光時間が１時間であるために、目標受光時間以上の光を受光していないと判定する（図８Ａに示すステップＳ４０３でＹｅｓ）。作成部１３０は、第四時刻から第二時刻まで制御部１４０に光源２００を点灯させるように、第四時刻から第二時刻までの照射予定を更新する。
【０１０７】
再び図５を参照し、ステップＳ２０８の次に、照明制御システム１００は、例えば、ステップＳ２０８において、予定している照射予定で対象者Ａ〜Ｃのうち、目標受光時間以上に達しない未達の対象者がいると判定した場合、第四時刻から第二時刻までの間、光源２００を点灯させる制御をする（ステップＳ２０９）。さらに、照明制御システム１００は、アラート情報を出力する（ステップＳ２１０）。外部端末６００は、取得したアラート情報に基づいて、例えば、画像を作成して、対象者Ａ〜Ｃへ通知する。
【０１０８】
図８Ｃは、実施の形態に係る照明制御システム１００が出力するアラート情報を説明するための図である。
【０１０９】
図８Ｃに示すように、外部端末６００は、例えば、アラート情報を取得した場合に、「目標受光時間に到達していません」等の画像６１０を外部端末６００が備えるディスプレイに表示させる。こうすることで、第四時刻までに目標受光時間以上に達していない対象者Ａ〜Ｃに光源２００の光を受光するように促すことができる。
【０１１０】
なお、図５においては、アラート情報を、対象者Ａ〜Ｃが操作している外部端末６００に出力しているが、例えば、通知装置４００にアラート情報を出力してもよい。
【０１１１】
再び図５を参照し、ステップＳ２１１の次で、且つ、第二時刻より後に、対象者Ａ〜Ｃは、第二時刻までの受光状況を、外部端末６００を操作して照明制御システム１００へ出力する（ステップＳ２１２）。
【０１１２】
照明制御システム１００は、取得した対象者Ａ〜Ｃの各々の受光状況から、対象者の各々が目標受光時間以上に達しているか否かを判定し、判定した結果を外部端末６００へ出力する（ステップＳ２１３）。
【０１１３】
図９Ａは、実施の形態に係る照明制御システム１００が対象者Ａ〜Ｃの第二時刻までに照射された光量の判定を説明するための図である。具体的には、図９Ａは、対象者Ａ〜Ｃの第二時刻までの受光時間を縦軸に表したグラフである。
【０１１４】
図９Ａに示すように、照明制御システム１００は、対象者Ａ〜Ｃの各々が、目標受光時間以上の光を受光したか否かを判定する。例えば、図９Ａにおいては、対象者Ａ及び対象者Ｃは、目標受光時間以上の光を受光したと判定し、対象者Ｂは、目標受光時間以上の光を受光していないと判定する。
【０１１５】
再び図５を参照し、外部端末６００は、照明制御システム１００から対象者Ａ〜Ｃの受光時間情報を取得した場合に、受光時間情報に基づいて、画像を作成して、対象者Ａ〜Ｃに第二時間までに対象者Ａ〜Ｃの各々が目標受光時間以上の光を受光したか否かを通知する（ステップＳ２１４）。
【０１１６】
図９Ｂは、実施の形態に係る照明制御システム１００が出力する対象者Ａ〜Ｃの第二時間までの受光時間を示す受光時間情報を説明するための図である。
【０１１７】
図９Ｂに示すように、外部端末６００は、例えば、受光時間情報を取得した場合に、「Ａさんは達成」、「Ｂさんは未達成」、「Ｃさんは達成」、等の画像６２０を外部端末６００に表示させる。例えば、照明システム３００は、介護施設等に設けられることが想定される。このような場合には、対象者Ａ〜Ｃを介護する介護者は、画像６２０を確認することで、目標受光時間以上に達していない対象者に、翌日は目標受光時間の光を受光するように促すことができる。
【０１１８】
［効果等］
実施の形態に係る照明制御システム１００は、複数の対象者が滞在可能な空間Ｒに光を照射する光源２００を制御する照明制御システムである。照明制御システム１００は、取得部１１０と、作成部１３０と、制御部１４０とを備える。取得部１１０は、第一時刻以降であり、且つ第一時刻よりも後の第二時刻以前の照射期間において、複数の対象者の各々が空間Ｒに滞在する予定期間を示す滞在予定情報を取得する。作成部１３０は、滞在予定情報から光源２００に光を照射させる照射予定を作成する。制御部１４０は、照射予定に従って光源２００に光を照射させる。また、作成部１３０は、滞在予定情報において複数の対象者の少なくとも２人に共通する予定期間を含む期間に光を照射させるように照射予定を作成する。
【０１１９】
このような構成によれば、作成部１３０は、対象者が空間Ｒに多い時間帯に光源２００を制御部１４０に制御させて光を照射させる照射予定を作成することができる。そのため、照明制御システム１００は、光源２００を制御して、複数の対象者に効率良く光を照射することができる。
【０１２０】
例えば、作成部１３０は、滞在予定情報に基づいて、複数の対象者のそれぞれの予定期間のうち、共通する対象者の人数が多い予定期間を含む期間から順番に照射予定を作成してもよい。
【０１２１】
このような構成によれば、作成部１３０は、対象者が空間Ｒにより多い時間帯に光源２００を制御部１４０に制御させて光を照射させることができる。そのため、照明制御システム１００は、光源２００を制御して、複数の対象者により効率良く光を照射することができる。
【０１２２】
また、例えば、作成部１３０は、照射予定の候補となる期間が２以上ある場合、当該候補のうち最も早い時刻を含む期間を照射予定として作成してもよい。
【０１２３】
このような構成によれば、作成部１３０は、より早い時刻を採用して照射予定を作成する。例えば、対象者によっては、予定通りに空間Ｒに滞在できない場合が想定される。このような場合においても、作成部１３０がより早い時刻を採用して照射予定を作成することで、予定通りに光を受光できなかった対象者は、当初の予定とは異なる時間帯に光を受光する等の対策をとりやすくなる。
【０１２４】
また、例えば、作成部１３０は、取得部１１０が第一時刻より後に照射予定の変更を指示する指示情報を取得した場合、当該指示情報に基づいて照射予定を再作成してもよい。
【０１２５】
このような構成によれば、例えば、対象者によっては、予定通りに空間Ｒに滞在できない場合があるが、このような場合においても、作成部１３０が照射予定を再作成することができる。そのため、このような構成によれば、予定通りに光を受光できなかった対象者は、当初の予定とは異なる時間帯に光を受光することができる。
【０１２６】
また、照明制御システム１００は、記憶部１２０をさらに備えてもよい。取得部１１０は、取得した滞在予定情報を記憶部１２０に記憶させてもよい。作成部１３０は、所定の時間間隔おきに、記憶部１２０に記憶された滞在予定情報から照射予定を再作成してもよい。
【０１２７】
このような構成によれば、照明制御システム１００は、例えば第一時刻より後に対象者の受光状況及び滞在予定情報を取得した場合に、照明制御システム１００のユーザが照射予定の再作成を指示することなく、自動で照射予定を再作成できる。そのため、このような構成によれば、照明制御システム１００の利便性は、向上される。
【０１２８】
また、取得部１１０は、複数の対象者の各々に対応する目標受光時間を取得してもよい。作成部１３０は、滞在予定情報と目標受光時間とに基づいて、複数の対象者のうち、目標受光時間以上となる対象者の人数が最大になるように、照射予定を作成してもよい。
【０１２９】
このような構成によれば、作成部１３０は、対象者が空間Ｒに多い時間帯であり、且つ、より多くの対象者が目標受光時間光を受光できるように、光源２００を制御部１４０に制御させて光を照射させる照射予定を作成することができる。そのため、照明制御システム１００は、光源２００を制御して、複数の対象者により効率良く光を照射することができる。
【０１３０】
また、作成部１３０は、滞在予定情報と目標受光時間とに基づいて、複数の対象者が目標受光時間以上に達するか否かを判定してもよい。制御部１４０は、複数の対象者のうち、目標受光時間以上に達しない未達の対象者がいると作成部１３０が判定した場合、未達の対象者がいる旨を示すアラート情報を出力してもよい。
【０１３１】
このような構成によれば、照明制御システム１００は、例えば、通知装置４００、外部端末６００等を介して、目標受光時間以上の光を受光していない対象者に対して、目標受光時間以上の光を受光していない旨を通知することができる。そのため、当該通知を受けた対象者は、例えば、予定を変更して光を受光する等の対策をとりやすくなる。
【０１３２】
また、取得部１１０は、第一時刻より後で、且つ第二時刻より前の第三時刻までの複数の対象者の各々に対応する受光状況を取得してもよい。作成部１３０は、第二時刻より前に、当該受光状況と目標受光時間とを照合して、複数の対象者が目標受光時間以上に達するか否かを判定してもよい。また、作成部１３０は、複数の対象者のうち、目標受光時間以上に達しない未達の対象者がいると判定した場合、第三時刻以降における照射予定を再作成してもよい。
【０１３３】
このような構成によれば、例えば、対象者によっては、予定通りに空間Ｒに滞在できない場合があるが、このような場合においても、作成部１３０は、改めて読み込んだ対象者の受光状況に基づいて、照射予定を再作成することができる。そのため、対象者は、当初の予定とは異なる時間帯にも光を受光することができ得る。
【０１３４】
また、制御部１４０は、第三時刻に目標受光時間以上に達しない未達の対象者がいると作成部１３０が判定した場合、未達の対象者がいる旨を示すアラート情報を出力してもよい。
【０１３５】
このような構成によれば、照明制御システム１００は、例えば、通知装置４００、外部端末６００等を介して、第三時刻までに目標受光時間以上の光を受光していない対象者に対して、目標受光時間以上の光を受光していない旨を通知することができる。そのため、当該通知を受けた対象者は、例えば、予定を変更して光を受光する等の対策をとりやすくなる。
【０１３６】
また、取得部１１０は、第三時刻より後で、且つ第二時刻より前の第四時刻までの複数の対象者の各々の受光状況を取得してもよい。作成部１３０は、第二時刻より前に、当該受光状況と目標受光時間とを照合して、複数の対象者が目標受光時間以上に達するか否かを判定してもよい。制御部１４０は、複数の対象者のうち、目標受光時間以上に達しない未達の対象者がいると作成部１３０が判定した場合、未達の対象者がいる旨を示すアラート情報を出力し、第二時刻まで光源２００に光を照射させてもよい。
【０１３７】
このような構成によれば、照明制御システム１００は、例えば、通知装置４００、外部端末６００等を介して、第四時刻までに目標受光時間以上の光を受光していない対象者に対して、目標受光時間以上の光を受光していない旨を通知することができる。さらに、照明制御システム１００は、第四時刻から第二時刻まで、光源２００を制御して光を照射させ続ける。そのため、目標受光時間以上の光を受光していない旨の通知を受けた対象者は、通知を受けた後にすぐに空間Ｒへ行くことで、すぐに光を受光することができる。
【０１３８】
また、取得部１１０は、複数の対象者の各々の第二時刻までの受光状況を取得してもよい。作成部１３０は、複数の対象者の各々が、目標受光時間以上に達しているか否かを判定してもよい。制御部１４０は、作成部１３０の当該判定の結果を示す結果情報を出力してもよい。
【０１３９】
例えば、照明制御システム１００は、介護施設等で利用されることが想定される。このような場合には、対象者を介護する介護者は、画像６２０を確認することで、目標受光時間以上に達していない対象者に、翌日は目標受光時間の光を受光するように促すことができる。
【０１４０】
また、実施の形態に係る照明システム３００は、照明制御システム１００と、光源２００とを備える。
【０１４１】
このような構成によれば、作成部１３０は、対象者が空間Ｒに多い時間帯に光源２００から光を照射させる照射予定を作成することができる。そのため、照明システム３００は、複数の対象者に効率良く光を照射することができる。
【０１４２】
また、実施の形態に係る照明制御方法は、複数の対象者が滞在可能な空間Ｒに光を照射する光源２００を制御する照明制御方法である。当該照明制御方法は、滞在予定情報取得ステップと、照射予定作成ステップと、光源制御ステップとを含む。滞在予定情報取得ステップでは、第一時刻以降であり、且つ第一時刻よりも後の第二時刻以前において、複数の対象者の各々が空間Ｒに滞在する予定期間を示す滞在予定情報を取得する。照射予定作成ステップでは、滞在予定情報から光源２００に光を照射させる照射予定を作成する。光源制御ステップでは、照射予定に従って光源２００を制御する。また、照射予定作成ステップでは、滞在予定情報において複数の対象者の少なくとも２人に共通する予定期間を含む期間に光源制御ステップで光源２００に光を照射させるように照射予定を作成する。
【０１４３】
このような照明制御方法によれば、対象者が空間Ｒに多い時間帯に光源２００から光を照射させる照射予定を作成することができる。そのため、このような照明制御方法によれば、複数の対象者に効率良く光を照射することができる。
【０１４４】
また、本発明は、実施の形態に係る照明制御方法に含まれるステップをコンピュータに実行させるプログラムとして実現されてもよい。
【０１４５】
これにより、実施の形態に係る照明制御方法は、簡便に対象者に効率良く光を照射することができるプログラムとしてコンピュータが実行できる。
【０１４６】
（他の実施の形態）
以上、実施の形態に係る照明制御システム等について説明したが、本発明は、上記実施の形態に限定されるものではない。
【０１４７】
例えば、上記実施の形態では、作成部及び制御部は、プロセッサがプログラムを実行することによってソフトウェア的に実現されたが、このような実現方法に限られず、ゲートアレイ等を用いた専用の電子回路によってハードウェア的に実現されてもよい。また、照明制御システムの各構成要素が行う処理をステップとして含むプログラム、及び、そのプログラムを記録したコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリ等の記録媒体として実現することもできる。また、当該プログラムは、インターネット等の通信路で配信されてもよい。
【０１４８】
つまり、上記包括的又は具体的な態様は、システム、装置、集積回路、コンピュータプログラム又はコンピュータ読み取り可能な記録媒体で実現されてもよく、システム、装置、集積回路、コンピュータプログラム及び記録媒体の任意な組み合わせで実現されてもよい。
【０１４９】
また、例えば、上記実施の形態では、制御部は、作成部が作成した照射予定に従って光源の点灯と消灯とを切り替える制御をするとしたが、これに限定されない。作成部は、光源が照射する光量を指定する照射予定を作成してもよいし、光源が発する光色を指定する照射予定を作成してもよい。また、作成部は、照明システムが光源を複数備える場合には、点灯及び／又は消灯させる光源を指定してもよい。制御部は、作成部が作成した照射予定に基づいて、光源の調光及び／又は調色を制御してもよい。また、制御部は、作成部が作成した照射予定に基づいて、点灯及び／又は消灯させる光源を選択して点灯及び／又は消灯の制御をしてもよい。
【０１５０】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１５１】
１００  照明制御システム
１１０  取得部
１２０  記憶部
１３０  作成部
１４０  制御部
２００  光源
３００  照明システム
Ａ、Ｂ、Ｃ  対象者
ＳＡ、ＳＢ、ＳＣ  滞在予定情報
ＬＡ、ＬＢ、ＬＣ  受光状況
Ｒ  空間
【図１】
2019033052.tif 000003
【図２】
2019033052.tif 000004
【図３】
2019033052.tif 000005
【図４】
2019033052.tif 000006
【図５】
2019033052.tif 000007
【図６Ａ】
2019033052.tif 000008
【図６Ｂ】
2019033052.tif 000009
【図７Ａ】
2019033052.tif 000010
【図７Ｂ】
2019033052.tif 000011
【図８Ａ】
2019033052.tif 000012
【図８Ｂ】
2019033052.tif 000013
【図８Ｃ】
2019033052.tif 000014
【図９Ａ】
2019033052.tif 000015
【図９Ｂ】
2019033052.tif 000016